(57)【要約】【課題】  光ディスクの両面にそれぞれ光ピックアップを回転自在に配置してデータの記録や再生を行うことができる情報記録再生装置を提供する。【解決手段】  光ディスクを保持して回転するスピンドルモータ７によって保持された光ディスクの第１面に対向配置され、第１のレーザ光を照射する第１の光ピックアップ１３と、この第１の光ピックアップ１３と光ディスクを挟んで略対称位置に配置され、光ディスクの第１面の反対側に設けられた第２面に第２のレーザ光を照射する第２の光ピックアップ１５と、第１及び第２の光ピックアップを保持し、第１および第２の光ピックアップを光ディスク上のトラックの接線方向を軸として１８０度以上回転させる回転用モータ１９を有する送り機構ベース２５と、第１および第２の光ピックアップを光ディスクの半径方向に移送する移送手段２３とを有することを特徴とする。【選択図】  図１
2006040470.tif 000002
【特許請求の範囲】
【請求項１】
光ディスクを保持して回転する回転駆動手段と、
この回転駆動手段によって保持された前記光ディスクの第１面に対向配置され、第１のレーザ光を照射する第１の光ピックアップと、
この第１の光ピックアップと前記光ディスクを挟んで略対称位置に配置され、前記光ディスクの前記第１面の反対側に設けられた第２面に第２のレーザ光を照射する第２の光ピックアップと、
前記第１及び第２の光ピックアップを保持し、前記第１および第２の光ピックアップを前記光ディスク上のトラックの接線方向を軸として１８０度以上回転させる回転手段を有する送り機構ベースと、
この送り機構ベースに保持された前記第１および第２の光ピックアップを前記光ディスクの半径方向に移送する移送手段とを有し、
前記第１及び第２の光ピックアップを交互に配置換えする際には、前記移送手段によって前記第１及び第２の光ピックアップは前記光ディスクの最外周よりさらに外側に移送されることを特徴とする情報記録再生装置。
【請求項２】
前記第１の光ピックアップは、比較的波長の短い青色レーザ光を照射することを特徴とする請求項１記載の情報記録再生装置。
【請求項３】
前記第２の光ピックアップは、比較的波長の長い赤色レーザ光あるいは赤外レーザを照射することを特徴とする請求項１記載の情報記録再生装置。
【請求項４】
前記第１及び第２の光ピックアップは記録あるいは再生時に前記光ディスクの反りを補正するように傾きセンサーを有することを特徴とする請求項１記載の情報記録再生装置。
【請求項５】
前記回転駆動手段は、逆回転駆動も可能とすることを特徴とする請求項１記載の情報記録再生装置。
【発明の詳細な説明】
【技術分野】
【０００１】
この発明は、光ピックアップによって光ディスクに対するデータの記録や再生を行う光ディスク装置に関し、特に光ディスクの両面にそれぞれ光ピックアップを回転自在に配置してデータの記録や再生を行う装置に関するものである。
【背景技術】
【０００２】
周知のように近年では、情報の高密度記録が可能な光ディスクとして、片面１層容量が４．７ＧＢを有する光ディスクが実用化されている。例えば、再生専用の光ディスクであるＤＶＤ−ＲＯＭ（Digital Versatile Disk−Read Only Memory）、ＤＶＤ−ＲＷ（Rewritable）、ＤＶＤ−ＲＡＭ（Random Access Memory）等がある。これら光ディスクは情報記録再生装置に装填され、光ピックアップにより比較的短い波長のレーザ光によって照射され、情報が記録または情報の再生が可能とされる。
【０００３】
ところで、最近では、高速の記録動作を行う要請から、光ディスクの両面に２つの光ピックアップを配置し、データの記録再生動作を光ディスクの両面に同時に行えるようにした情報記録再生装置が実用されている。特に、特開２００１−４３５４８号公報には、ディスク回転機構によって保持された光ディスクの両面に、第１、第２の光ピックアップを配置し、それぞれ移送機構によって光ディスクの半径方向に移送することにより、光ディスクの両面に同時または別々の動作でデータの記録や再生を行う光ディスク装置が記載されている。
【特許文献１】特開２００１−０４３５４８号公報（段落番号００１６）
【発明の開示】
【発明が解決しようとする課題】
【０００４】
赤外、赤、青など波長の違うレーザーに対応した多様な光ディスクの記録再生を一つの光ピックアップで対応しようとすると、光ピックアップは複数のレーザーを含む複雑な光学系設計で、過大な性能を要求されるものとなり、装置全体として製造コストが大きくなってしまう。  そこで複数の異なる仕様の光ピックアップを用いて、多様な光ディスクに対応しようとすると、装置全体が大きなものになってしまう問題がある。
【０００５】
また、上記特許文献１に記載の技術によると、光ディスクの上下には、下面の記録再生を行う光ピックアップと上面の記録再生を行う光ピックアップが配置されており、それぞれ送りネジ軸に沿ってシーク動作が行われ、光ディスク全域へのデータの記録再生が行われる。
【０００６】
しかしながら、このように光ピックアップを上下に配置しただけでは、光ディスクの両面に同時記録動作、同時再生動作を行うことは困難である。特に、ＤＶＤ規格ではレーザ光の照射側から見て反時計回りに回転させることが決められており、上下の光ピックアップで同時に記録や再生を行うことは現実的に無理である。したがって、単純に光ピックアップを上下に配置したのであれば、光ピックアップの送り機構等の部品点数の増加や配置スペースの拡大に繋がり、結果的に小型化が図れないという問題がある。
【０００７】
そこで、本発明は上記の問題を解決するために成されたものであり、光ディスクの両面にそれぞれ光ピックアップを回転自在に配置してデータの記録や再生を行うことができる情報記録再生装置を提供する。
【課題を解決するための手段】
【０００８】
上記した課題を解決するために、この発明は、光ディスクを保持して回転する回転駆動手段と、この回転駆動手段によって保持された前記光ディスクの第１面に対向配置され、第１のレーザ光を照射する第１の光ピックアップと、この第１の光ピックアップと前記光ディスクを挟んで略対称位置に配置され、前記光ディスクの前記第１面の反対側に設けられた第２面に第２のレーザ光を照射する第２の光ピックアップと、前記第１及び第２の光ピックアップを保持し、前記第１および第２の光ピックアップを前記光ディスク上のトラックの接線方向を軸として１８０度以上回転させる回転手段を有する送り機構ベースと、
この送り機構ベースに保持された前記第１および第２の光ピックアップを前記光ディスクの半径方向に移送する移送手段とを有し、前記第１及び第２の光ピックアップを交互に配置換えする際には、前記移送手段によって前記第１及び第２の光ピックアップは前記光ディスクの最外周よりさらに外側に移送されることを特徴とする。
【発明の効果】
【０００９】
この発明によれば、従来既にある赤外レーザー、あるいは赤色レーザーを用いた光ピックアップに加えて、青色レーザーを用いた光ピックアップを内蔵し、複数の光ピックアップを切り替えることができる機構とすることによって、多様な光ディスクメディアに対応する情報記録再生装置を提供することができる。
【００１０】
また、共通のディスクローディング機構とすることによって、複数の光ピックアップを有する装置であっても装置全体を小型化することができる。
【００１１】
また、上下に光ピックアップを配置させ、スピンドルモータを逆回転可能とすることによって、両面タイプの光ディスクであっても、ディスクを裏返すことなく記録再生ができる機構である。
【００１２】
さらに、上下２個の光ピックアップを光ディスクのデータトラックの接線方向を軸として回転して切り替えを行う機構は、同じ機構を用いてデータの再生時、あるいは記録時に光ピックアップとディスクにとって最良の角度となるように調整する機能も持たせることができる。一般に樹脂材料でできている光ディスクは半径方向に反りを持っていることが多く、光ピックアップに対して傾きが変化することは光ピックアップの特性上好ましくない。従ってディスクの記録面を概略回転中心として相対角度を調整する機構は、光ピックアップの対物レンズ作動距離に影響しない調整になるので、理想的な調整方法となる。
【発明を実施するための最良の形態】
【００１３】
以下、この発明の実施例について、図面を参照しながら詳細に説明する。
【００１４】
図１は、本発明の実施の形態に係る情報記録再生装置の全体を示す斜視図である。図２は、情報記録再生装置の一部分を示す斜視図である。図３は、光ディスクが装置内部に引き込まれた状態を示す情報記録再生装置の斜視図である。図４は、光ディスクが装置内部に引き込まれた状態を示す情報記録再生装置の断面図である。図５は、図４のＡ−Ａ断面図である。
【００１５】
図１及び図２に示すように、情報記録再生装置は、ディスクカートリッジ３を載置するディスクトレイ５と、光ディスク１を回転駆動させるスピンドルモータ７と、光ディスク１をクランプするディスククランパー９と、ディスクトレイ５を保持するためのディスクトレイホルダー１１と、比較的波長の短い青色レーザを使用した高密度記録ディスクを記録再生可能な第１の光ピックアップ１３と、比較的波長の長い赤色レーザあるいは赤外レーザを使用したＣＤやＤＶＤ用、あるいはその両方の機能を持つ第２に光ピックアップ１５と、第１または第２の光ピックアップ１３、１５を保持する光ピックアップホルダー１７と、第１の光ピックアップ１３と第２の光ピックアップ１５を所定の回転軸を中心に１８０度回転させる光ピックアップ回転用モータ１９と、光ピックアップ回転用モータ１９と接続され、第１及び第２の光ピックアップ１３、１５を光ディスク１の内外周方向に案内させるための光ピックアップ送りガイドシャフト２１と、実際に第１及び第２の光ピックアップ１３、１５を光ディスクの内外周に移動させるための光ピックアップ送りモータ２３と、その回転に伴って回転するリードスクリュー２２と、光ピックアップ回転用モータ１９と第１及び第２の光ピックアップ１３、１５と接続され、さらには光ピックアップ送りガイドシャフト２１と摺動自在に接続される送り機構ベース２５と、筐体としてなるフレーム２７とから構成されている。
【００１６】
図１および図２は、ディスクカートリッジ３に内蔵された光ディスク１をスピンドルモータ７のターンテーブル上にローディングする機構と、第１および第２の上下２個の光ピックアップ１３、１５を上記光ディスク１の半径方向に移動させる機構と、第１および第２の光ピックアップ１３、１５を光ディスク１の記録トラックの接線を軸として１８０度以上回転させることができる機構によって構成される本発明の実施例を示している。図１および図２は、光ディスク１がローディングされる前の状態であり、ディスクカートリッジ３はディスクトレイ５に乗せられている。ディスクトレイ５は図示されていないトレイの下に配置された駆動機構によって、左右のディスクトレイホルダ１１、１２に沿って装置内部に引き込まれると同時に、ディスクトレイホルダ１２とディスクトレイ５に配置された図示されない機構でディスクカートリッジ３のシャッターが開かれる。ディスクカートリッジ３内部の光ディスク１は上下両面で露出されるが、この時、光ディスク１を回転させるスピンドルモータ７と光ディスク１をスピンドルモータ７のターンテーブルとの間に挟み込むディスククランパー９は上下に退避している。ディスクカートリッジ３が所定の位置まで引き込まれると、上下に退避していたスピンドルモータ７とディスククランパー９は図示されていない機構によって光ディスクを挟み込み、所定の面内で回転できるように拘束される。
【００１７】
一方、図３乃至図５に示すように、光ディスク１上のデータを読み出すことのできる第１の光ピックアップ１３と第２の光ピックアップ１５は光ピックアップホルダー１７に取り付けられており、光ピックアップホルダー１７はディスクカートリッジ３とディスクトレイホルダー１１の全体を差し込むことができるような構造になっている。そして、その内側には光ディスク１を挟んで互いに対向するように第１の光ピックアップ１３と第２の光ピックアップ１５が配置されている。
【００１８】
この光ピックアップホルダー１７は、ローディングされた光ディスク１の露出部分に第１および第２の光ピックアップ１３、１５が光ディスク上下両面のデータを読み出すことのできるように、その位置が精度良く取り付けられている。更に、光ピックアップホルダー１７は光ピックアップ送りモータ２３によってディスク面内半径方向に移動することができる機構である。
【００１９】
送り機構ベース２５が移動できる範囲は、ディスクカートリッジ３とディスクトレイホルダー１１の全体が差し込まれた状態で光ピックアップが光ディスク最内周位置に達する位置から、ディスクカートリッジ３とディスクトレイホルダー１１の全体が抜け出た状態までである（図３の矢印Ｃの範囲）。そして、ディスクカートリッジ３とディスクトレイホルダー１１の全体が抜け出た状態では、光ピックアップホルダー１１は図に示す回転軸を中心に１８０度回転することができる。従って、第１の光ピックアップ１３と第２の光ピックアップ１５はディスクトレイ５が邪魔にならない位置で上下で入れ替えることができるようになる。この回転軸は送り機構ベース２５と共に移動するが、ディスクモータ７に近い、光ディスク１面内の位置にある場合は、概略光ディスクの記録面内で、且つ、第１および第２の光ピックアップ１３、１５のレーザー照射位置で記録トラックの接線とほぼ一致する関係にある。
【００２０】
ここで第１の光ピックアップ１３は、比較的波長の短い青色レーザーを使用した高密度記録ディスクを記録再生できる光ピックアップであり、第２の光ピックアップ１５は赤色レーザーあるいは赤外レーザーを使用したＣＤあるいはＤＶＤ用、あるいはその両方機能を持つ光ピックアップである。
【００２１】
また、第１および第２の光ピックアップ１３、１５あるいは光ピックアップホルダー１７には、光ディスク１の傾きを検出する図示されていない傾きセンサーが取り付けられており、第１および第２の光ピックアップ１３、１５が光ディスク１へデータの記録あるいは読み出しを行っている間、光ピックアップホルダー１７を回転させる機構と傾きセンサーの信号によって、第１および第２の光ピックアップ１３、１５と光ディスク１の相対角度が所定の角度となるように制御される機能を持っている。図４に示すように、第１および第２の光ピックアップ１３、１５は矢印方向に微動して、光ディスク１との相対角度を常に一定となるように制御される。
【００２２】
両面にデータが記録されているタイプの光ディスクの場合で、スピンドルモータ７のターンテーブル側とは反対側のデータを再生する場合は、スピンドルモータ７が逆回転することができるのもとする。すなわち、ＤＶＤ規格ではレーザ光の照射側からみて反時計回りに回転させることが規格化されているためである。このようにスピンドルモータ７が逆回転可能であれば、ユーザは光ディスクをわざわざ引っくり返して差し込むという動作をする必要がなくなる。
【００２３】
また、第１および第２の光ピックアップ１３、１５の送り機構は、リードスクリュー２２による送り機構であるが、平ギヤによる送り、あるいはベルト駆動による送りなどでもかまわない。また、取り扱うディスクもディスクカートリッジ３に内臓されていない裸ディスクであってもよく、またトレイ方式のディスクローディング機構である必要もない。
【００２４】
なお、本発明は、上記実施形態に限定されるものではなく、実施段階では、その要旨を逸脱しない範囲で種々に変形することが可能である。
【図面の簡単な説明】
【００２５】
【図１】本発明の実施の形態に係る情報記録再生装置の全体を示す斜視図。
【図２】情報記録再生装置の一部分を示す斜視図。
【図３】光ディスクが装置内部に引き込まれた状態を示す情報記録再生装置の斜視図。
【図４】光ディスクが装置内部に引き込まれた状態を示す情報記録再生装置の断面図。
【図５】図４のＡ−Ａ断面図。
【符号の説明】
【００２６】
１  光ディスク
３  ディスクカートリッジ
５  ディスクトレイ
７  スピンドルモータ
９  ディスククランパー
１１  ディスクトレイホルダー
１３  第１の光ピックアップ
１５  第２の光ピックアップ
１７  光ピックアップホルダー
１９  光ピックアップ回転用モータ
２１  光ピックアップ送りガイドシャフト
２２  リードスクリュー
２３  光ピックアップ送りモータ
２５  送り機構ベース
２７  フレーム
【図１】
2006040470.tif 000003
【図２】
2006040470.tif 000004
【図３】
2006040470.tif 000005
【図４】
2006040470.tif 000006
【図５】
2006040470.tif 000007